(57)【特許請求の範囲】
【請求項１】
患者の静脈または動脈より血液を導出し、浄化後の血液を患者の静脈に返血する持続的血液浄化用装置において、
患者の静脈または動脈から静脈に至る循環回路であって、血液透析ろ過器からなる血液浄化器（１２）が配置されている血液体外循環回路（１０）と、前記血液浄化器（１２）に透析液を導くための透析液流路（２０）と、前記血液浄化器（１２）により浄化されるまたは浄化された血液に体液成分を含む補液を補給するための補液流路（３０）と、血液浄化後の廃液を排出するための廃液流路（４０）と、補液流量を間欠的に測定するための容量式計量手段と、前記容量式計量手段を制御する制御部とを備えてなり、
前記血液体外循環回路（１０）には、血液ポンプ（１１）と前記血液浄化器（１２）とが配置され、
前記透析液流路（２０）には、透析液タンク（２１）と、透析液クランプ（２２）と、透析液ポンプ（２３）とが、この順に配置され、前記透析液流路（２０）は、前記透析液ポンプ（２３）の配置位置の下流側において前記血液浄化器（１２）の透析液注入ポートに接続され、
前記補液流路（３０）には、補液タンク（３１）と、補液クランプ（３２）と、補液ポンプ（３３）とが、この順に配置され、前記補液流路（３０）は、前記補液ポンプ（３３）の配置位置の下流側において前記血液体外循環回路（１０）に接続され、
前記補液クランプ（３２）と前記補液ポンプ（３３）との間における前記補液流路（３０）には、補液流量を測定するための容量式計量手段として、補液計量用電磁弁（３６）と、上側補液レベルセンサ（３７）と、前記補液タンク（３１）よりも低い位置にある補液計量容器（３８）と、下側補液レベルセンサ（３９）とが、この順に配置されている補液分岐流路（３５）が接続され、
前記廃液流路（４０）には、排出口（４１）と、廃液クランプ（４２）と、廃液ポンプ（４３）とが、この順に配置され、前記廃液流路（４０）は、前記廃液ポンプ（４３）の配置位置の上流側において前記血液浄化器（１２）の透析液排出ポートに接続され、
前記制御部は、所定の時間間隔をあけて、
前記補液計量用電磁弁（３６）および前記補液クランプ（３２）の開閉を制御して、前記上側補液レベルセンサ（３７）および前記下側補液レベルセンサ（３９）からの検知情報に基いて補液流量を算出するとともに、
前記補液ポンプ（３３）を作動させているときに、前記下側補液レベルセンサ（３９）より下方に補液の液面が位置している状態が一定時間継続した場合に、警報発生信号を出力することを特徴とする持続的血液浄化用装置。
【請求項２】
前記制御部は、前記補液ポンプ（３３）を回転させた状態で、前記補液計量用電磁弁（３６）および前記補液クランプ（３２）を「開」状態とすることにより、前記補液タンク（３１）内の補液を、補液流路（３０）を経由して前記血液体外循環回路（１０）に移送させるとともに、補液分岐流路（３５）を経由して前記補液計量容器（３８）に流入させ、
前記補液計量容器（３８）に流入する補液の液面が上昇して前記上側補液レベルセンサ（３７）により検知された後に前記補液クランプ（３２）を「閉」状態として、前記補液計量容器（３８）内の補液を、当該補液計量容器（３８）から流出させて前記補液分岐流路（３５）および前記補液流路（３０）を経由して前記血液体外循環回路（１０）に移送させ、
前記補液計量容器（３８）から流出する補液の液面が下降して前記下側補液レベルセンサ（３９）により検知された後、前記補液クランプ（３２）を「開」状態として補液の液面を前記下側補液レベルセンサ（３９）より上方に位置するよう上昇させてから前記補液計量用電磁弁（３６）を「閉」状態とし、前記補液タンク（３１）内の補液を前記補液流路（３０）を経由して前記血液体外循環回路（１０）に移送させ、
所定の時間間隔をあけて、前記補液計量用電磁弁（３６）を「開」状態とする
ことを繰り返し、
前記補液計量容器（３８）から流出している補液の液面が、前記上側補液レベルセンサ（３７）によって検知されてから前記下側補液レベルセンサ（３９）によって検知されるまでに要した流出時間（ｔ１）およびこの間の補液の流出量（Ｖ１）から、式：Ｌ１＝Ｖ１／ｔ１によって補液流量（Ｌ１）を測定することを特徴とする請求項１に記載の持続的血液浄化用装置。
【請求項３】
前記制御部は、前記補液計量容器（３８）から流出する補液の液面が下降して前記下側補液レベルセンサ（３９）により検知された後、当該補液の液面が上昇して前記下側補液レベルセンサ（３９）により再度検知されるまで、前記補液クランプ（３２）および前記補液計量用電磁弁（３６）を「開」状態に維持させることを特徴とする請求項２に記載の持続的血液浄化用装置。
【請求項４】
前記制御部は、前記補液ポンプ（３３）を作動させているときに、前記下側補液レベルセンサ（３９）より下方に補液の液面が位置している状態が一定時間継続した場合に、警報発生信号を出力するとともに、前記補液ポンプ（３３）の停止信号を出力することを特徴とする請求項１乃至請求項３の何れかに記載の持続的血液浄化用装置。
【請求項５】
患者の静脈または動脈より血液を導出し、浄化後の血液を患者の静脈に返血する持続的血液浄化用装置において、
患者の静脈または動脈から静脈に至る循環回路であって、血液透析ろ過器からなる血液浄化器（１２）が配置されている血液体外循環回路（１０）と、前記血液浄化器（１２）に透析液を導くための透析液流路（２０）と、前記血液浄化器（１２）により浄化されるまたは浄化された血液に体液成分を含む補液を補給するための補液流路（３０）と、血液浄化後の廃液を排出するための廃液流路（４０）と、透析液流量を間欠的に測定するための容量式計量手段と、前記容量式計量手段を制御する制御部とを備えてなり、
前記血液体外循環回路（１０）には、血液ポンプ（１１）と前記血液浄化器（１２）とが配置され、
前記透析液流路（２０）には、透析液タンク（２１）と、透析液クランプ（２２）と、透析液ポンプ（２３）とが、この順に配置され、前記透析液流路（２０）は、前記透析液ポンプ（２３）の配置位置の下流側において前記血液浄化器（１２）の透析液注入ポートに接続され、
前記透析液クランプ（２２）と前記透析液ポンプ（２３）との間における前記透析液流路（２０）には、透析液流量を測定するための容量式計量手段として、透析液計量用電磁弁（２６）と、上側透析液レベルセンサ（２７）と、前記透析液タンク（２１）より低い位置にある透析液計量容器（２８）と、下側透析液レベルセンサ（２９）とが、この順に配置されている透析液分岐流路（２５）が接続され、
前記補液流路（３０）には、補液タンク（３１）と、補液クランプ（３２）と、補液ポンプ（３３）とが、この順に配置され、前記補液流路（３０）は、前記補液ポンプ（３３）の配置位置の下流側において前記血液体外循環回路（１０）に接続され、
前記廃液流路（４０）には、排出口（４１）と、廃液クランプ（４２）と、廃液ポンプ（４３）とが、この順に配置され、前記廃液流路（４０）は、前記廃液ポンプ（４３）の配置位置の上流側において前記血液浄化器（１２）の透析液排出ポートに接続され、
前記制御部は、所定の時間間隔をあけて、
前記透析液計量用電磁弁（２６）および前記透析液クランプ（２２）の開閉を制御して、前記上側透析液レベルセンサ（２７）および前記下側透析液レベルセンサ（２９）からの検知情報に基いて透析液流量を算出するとともに、
前記透析液ポンプ（２３）を作動させているときに、前記下側透析液レベルセンサ（２９）より下方に透析液の液面が位置している状態が一定時間継続した場合に、警報発生信号を出力することを特徴とする持続的血液浄化用装置。
【請求項６】
前記制御部は、前記透析液ポンプ（２３）を回転させた状態で、前記透析液計量用電磁弁（２６）および前記透析液クランプ（２２）を「開」状態とすることにより、前記透析液タンク（２１）内の透析液を、前記透析液流路（２０）を経由して前記血液浄化器（１２）の透析液注入ポートに移送させるとともに、透析液分岐流路（２５）を経由して前記透析液計量容器（２８）に流入させ、
前記透析液計量容器（２８）に流入する透析液の液面が上昇して前記上側透析液レベルセンサ（２７）により検知された後に前記透析液クランプ（２２）を「閉」状態として、前記透析液計量容器（２８）内の透析液を、当該透析液計量容器（２８）から流出させて前記透析液分岐流路（２５）および前記透析液流路（２０）を経由して前記血液浄化器（１２）の透析液注入ポートに移送させ、
前記透析液計量容器（２８）から流出する透析液の液面が下降して前記下側透析液レベルセンサ（２９）により検知された後、前記透析液クランプ（２２）を「開」状態として透析液の液面を前記下側透析液レベルセンサ（２９）より上方に位置するよう上昇させてから前記透析液計量用電磁弁（２６）を「閉」状態とし、前記透析液タンク（２１）内の透析液を前記透析液流路（２０）を経由して前記血液浄化器（１２）の透析液注入ポートに移送させ、
所定の時間間隔をあけて、前記透析液計量用電磁弁（２６）を「開」状態とする
ことを繰り返し、
前記透析液計量容器（２８）から流出している透析液の液面が、前記上側透析液レベルセンサ（２７）によって検知されてから前記下側透析液レベルセンサ（２９）によって検知されるまでに要した流出時間（ｔ２）およびこの間の透析液の流出量（Ｖ２）から、式：Ｌ２＝Ｖ２／ｔ２によって透析液流量（Ｌ２）を測定することを特徴とする請求項５に記載の持続的血液浄化用装置。
【請求項７】
前記制御部は、前記透析液計量容器（２８）から流出する透析液の液面が下降して前記下側透析液レベルセンサ（２９）により検知された後、当該透析液の液面が上昇して前記下側透析液レベルセンサ（２９）により再度検知されるまで、前記透析液クランプ（２２）および前記透析液計量用電磁弁（２６）を「開」状態に維持させることを特徴とする請求項６に記載の持続的血液浄化用装置。
【請求項８】
前記制御部は、前記透析液ポンプ（２３）を作動させているときに、前記下側透析液レベルセンサ（２９）より下方に透析液の液面が位置している状態が一定時間継続した場合に、警報発生信号を出力するとともに、前記透析液ポンプ（２３）の停止信号を出力することを特徴とする請求項５乃至請求項７の何れかに記載の持続的血液浄化用装置。
【請求項９】
廃液流量を間欠的に測定するための容量式計量手段と、前記容量式計量手段を制御する制御部とを備えてなり、
前記廃液クランプ（４２）と前記廃液ポンプ（４３）との間における前記廃液流路（４０）には、廃液流量を測定するための容量式計量手段として、廃液計量用電磁弁（４６）と、上側廃液レベルセンサ（４７）と、前記血液浄化器（１２）の透析液排出ポートより低い位置にある廃液計量容器（４８）と、下側廃液レベルセンサ（４９）とが、この順に配置されている廃液分岐流路（４５）が接続され、
前記制御部は、前記廃液ポンプ（４３）を回転させた状態で、廃液計量用電磁弁（４６）を「開」状態とし、前記廃液クランプ（４２）を「閉」状態とすることにより、前記廃液計量容器（４８）内に廃液を流入させ、
前記廃液計量容器（４８）に流入する廃液の液面が上昇して前記上側廃液レベルセンサ（４７）により検知された後に前記廃液クランプ（４２）を「開」状態とすることにより、前記廃液計量容器（４８）内の廃液を、前記廃液分岐流路（４５）および前記廃液流路（４０）を経由して前記排出口（４１）から排出させ、
所定の時間間隔をあけて、前記廃液クランプ（４２）を「閉」状態とする
ことを繰り返し、
前記廃液計量容器（４８）に流入する廃液の液面が、前記下側廃液レベルセンサ（４９）によって検知されてから前記上側廃液レベルセンサ（４７）によって検知されるまでに要した流入時間（ｔ３）およびこの間の廃液の流入量（Ｖ３）から、式：Ｌ３＝Ｖ３／ｔ３によって廃液流量（Ｌ３）を測定することを特徴とする請求項１乃至請求項８の何れかに記載の持続的血液浄化用装置。
【請求項１０】
前記制御部が警報発生信号およびポンプの停止信号を出力する際に、前記血液ポンプ（１１）を停止させないことを特徴とする請求項４または請求項８に記載の持続的血液浄化用装置。
【請求項１１】
前記制御部は、所定の時間間隔をあけて算出した透析液流量、補液流量および廃液流量が、それぞれの設定値と合致するように、前記透析液ポンプ（２３）、前記補液ポンプ（３３）および前記廃液ポンプ（４３）の各々の回転数を制御することを特徴とする請求項１乃至請求項１０の何れかに記載の持続的血液浄化用装置。
【請求項１２】
患者の静脈または動脈より血液を導出し、浄化後の血液を患者の静脈に返血する持続的血液浄化用装置において、
患者の静脈または動脈から静脈に至る循環回路であって、血液ろ過器からなる血液浄化器が配置されている血液体外循環回路と、前記血液浄化器により浄化されるまたは浄化された血液に体液成分を含む補液を補給するための補液流路と、血液浄化後の廃液を排出するための廃液流路と、補液流量を間欠的に測定するための容量式計量手段と、前記容量式計量手段を制御する制御部とを備えてなり、
前記血液体外循環回路には、血液ポンプと前記血液浄化器とが配置され、
前記補液流路には、補液タンクと、補液クランプと、補液ポンプとが、この順に配置され、前記補液流路は、前記補液ポンプの配置位置の下流側において前記血液体外循環回路に接続され、
前記補液クランプと前記補液ポンプとの間における前記補液流路には、補液流量を測定するための容量式計量手段として、補液計量用電磁弁と、上側補液レベルセンサと、前記補液タンクよりも低い位置にある補液計量容器と、下側補液レベルセンサとが、この順に配置されている補液分岐流路が接続され、
前記廃液流路には、排出口と、廃液クランプと、廃液ポンプとが、この順に配置され、前記廃液流路は、前記廃液ポンプの配置位置の上流側において前記血液浄化器に接続され、
前記制御部は、所定の時間間隔をあけて、
前記補液計量用電磁弁および前記補液クランプの開閉を制御して、前記上側補液レベルセンサおよび前記下側補液レベルセンサからの検知情報に基いて補液流量を算出するとともに、
前記補液ポンプを作動させているときに、前記下側補液レベルセンサより下方に補液の液面が位置している状態が一定時間継続した場合に、警報発生信号を出力することを特徴とする持続的血液浄化用装置。
【請求項１３】
患者の静脈または動脈より血液を導出し、浄化後の血液を患者の静脈に返血する持続的血液浄化用装置において、
患者の静脈または動脈から静脈に至る循環回路であって、血液透析器からなる血液浄化器が配置されている血液体外循環回路と、前記血液浄化器に透析液を導くための透析液流路と、血液浄化後の廃液を排出するための廃液流路と、透析液流量を間欠的に測定するための容量式計量手段と、前記容量式計量手段を制御する制御部とを備えてなり、
前記血液体外循環回路には、血液ポンプと前記血液浄化器とが配置され、
前記透析液流路には、透析液タンクと、透析液クランプと、透析液ポンプとが、この順に配置され、前記透析液流路は、前記透析液ポンプの配置位置の下流側において前記血液浄化器の透析液注入ポートに接続され、
前記透析液クランプと前記透析液ポンプとの間における前記透析液流路には、透析液流量を測定するための容量式計量手段として、透析液計量用電磁弁と、上側透析液レベルセンサと、前記透析液タンクより低い位置にある透析液計量容器と、下側透析液レベルセンサとが、この順に配置されている透析液分岐流路が接続され、
前記廃液流路には、排出口と、廃液クランプと、廃液ポンプとが、この順に配置され、前記廃液流路は、前記廃液ポンプの配置位置の上流側において前記血液浄化器の透析液排出ポートに接続され、
前記制御部は、所定の時間間隔をあけて、
前記透析液計量用電磁弁および前記透析液クランプの開閉を制御して、前記上側透析液レベルセンサおよび前記下側透析液レベルセンサからの検知情報に基いて透析液流量を算出するとともに、
前記透析液ポンプを作動させているときに、前記下側透析液レベルセンサより下方に透析液の液面が位置している状態が一定時間継続した場合に、警報発生信号を出力することを特徴とする持続的血液浄化用装置。
【発明の詳細な説明】
【技術分野】
【０００１】
本発明は、比較的長時間にわたる血液透析ろ過治療法を実施するための持続的血液浄化用装置に関する。
【背景技術】
【０００２】
血液透析と血液ろ過とを併用する血液透析ろ過治療法は、患者の体液バランスの急激な変動を防止する観点から比較的長時間（例えば２４時間以上）かけて実施される。
かかる血液透析ろ過治療法を実施するための持続的血液浄化用装置においては、透析液、補液および廃液の流量を管理することがきわめて重要である。このため、各々の流量を経時的に測定し、各々の設定流量との差が生じた場合には、当該設定流量と合致するように、送液ポンプの回転数を補正するなどして流量を制御する必要がある。
【０００３】
従来、透析液流量、補液流量および廃液流量を精度よく測定することができる容量式計量手段を備えた持続的血液浄化用装置が提案されている（下記特許文献１および特許文献２参照）。
【０００４】
図１０は、従来の持続的血液浄化用装置において、補液流量を測定するための容量式計量手段を示すフロー図である。
同図において、８０は補液流路、８１は補液タンク、８２は補液クランプ、８３は補液ポンプ、８４はローラクランプ、８５は補液分岐流路、８６は補液計量用電磁弁、８７は上側補液レベルセンサ、８８は補液計量容器、８９は下側補液レベルセンサ、９０は血液体外循環回路、９３は返血チャンバ、９４は気泡検知センサ、９５は気泡クランプである。
【０００５】
図１０に示すように、補液流路８０には、補液タンク８１と、ローラクランプ８４と、補液クランプ８２と、補液ポンプ８３とが配置されている。
補液流路８０は、血液浄化器（図示省略）により浄化された血液に補液を補給するための流路であり、血液体外循環回路９０に接続された返血チャンバ９３に接続されている。この返血チャンバ９３の下流側における血液体外循環回路９０には、気泡センサ９４と、気泡クランプ９５とが配置されている。
【０００６】
一方、補液クランプ８２と補液ポンプ８３との間における補液流路８０には、補液流量を測定するための容量式計量手段として、補液計量用電磁弁８６と、上側補液レベルセンサ８７と、補液タンク８１よりも低い位置にある補液計量容器８８と、下側補液レベルセンサ８９とが配置された補液分岐流路８５が接続されている。
【０００７】
図１０に示した容量式計量手段を備えた持続的血液浄化用装置において、補液ポンプ８３を回転させた状態で、補液計量用電磁弁８６を「閉」状態とし、補液クランプ８２を「開」状態とすることにより、補液タンク８１内の補液を補液流路８０を経由して返血チャンバ９３に流入させることができる。
【０００８】
この持続的血液浄化用装置では、所定の時間間隔をあけて（すなわち間欠的に）、次のようにして補液流量が測定される。
すなわち、「閉」状態としていた補液計量用電磁弁８６を「開」状態とすることにより、補液タンク８１内の補液を、補液流路８０を経由して返血チャンバ９３に流入させるとともに、補液分岐流路８５を経由して補液計量容器８８にも流入させる。
【０００９】
そして、補液計量容器８８に流入する補液の液面が上昇して上側補液レベルセンサ８７によって検知された後、補液クランプ８２を「閉」状態とすることにより、補液計量容器８８内の補液を流出させる。流出した補液は、補液分岐流路８５および補液流路８０を経由して返血チャンバ９３に流入する。
【００１０】
その後、補液計量容器８８から流出する補液の液面が下降して下側補液レベルセンサ８９により検知された後、補液計量用電磁弁８６を「閉」状態として液面の下降を停止させる（このとき、補液の液面は補液分岐流路８５内にある）とともに、補液クランプ８２を「開」状態とする（流量の測定前の状態に戻す）ことにより、補液タンク８１内の補液を、補液流路８０を経由して返血チャンバ９３に流入させる。
【００１１】
そして、補液計量容器８８から流出している補液の液面が、上側補液レベルセンサ８７によって検知されてから下側補液レベルセンサ８９によって検知されるまでに要した時間およびこの間の補液の流出量から、補液ポンプ８３による補液流量が測定される。
【先行技術文献】
【特許文献】
【００１２】
【特許文献１】特許第３１８０３０９号公報
【特許文献２】特開２００７−１３５９０８号公報
【発明の概要】
【発明が解決しようとする課題】
【００１３】
図１０に示したような容量式計量手段を備えた持続的血液浄化用装置において、補液タンク８１（補液バック）を交換する際に閉じたローラクランプ８４を開け忘れたり、補液タンク８１から補液クランプ８２に至る補液流路８０を、当該血液浄化用装置を構成しないクランプ（鉗子）で圧迫してしまったりすることが考えられる。また、補液タンク８１（補液バック）に挿入されているスパイク針の内孔に詰まりが生じることも考えられる。  そのような場合には、補液タンク８１から補液クランプ８２に至る補液流路８０が閉塞されることになる。
【００１４】
そして、補液タンク８１から補液クランプ８２に至る補液流路８０が閉塞された状態で補液ポンプ８３が作動（回転）し続けると、補液分岐流路８５内（補液流量の測定時には、補液計量容器８８内および補液分岐流路８５内）の補液が補液ポンプ８３によって吸引されるとともに、補液計量用電磁弁８６からは補液計量容器８８内に空気が送り込まれ、さらには、補液ポンプ８３の下流側における補液流路８０内および返血チャンバ９３内の補液までが排出（血液体外循環回路９０に移送）されて、返血チャンバ９３は空気で充たされた空の状態となる。
【００１５】
なお、補液ポンプ８３により生じる吸引力は、通常、「閉」状態にある補液計量用電磁弁８６の気密力を上回るために、上記のような状況は、補液計量用電磁弁８６が「閉」状態であるときでも起こり得る。
【００１６】
このように、返血チャンバ９３が空の状態になると、気泡検知センサ９４がその状態を検知し、その検知信号を受けた制御部（図示せず）が補液ポンプ８３を停止させる。これにより、透析治療は中断される。
【００１７】
然るに、気泡検知センサ９４からの検知信号に基いて補液ポンプ８３を停止させた場合（返血チャンバ９３を空の状態としてしまった場合）には、当該返血チャンバ９３内に補液を充填し、補液流路８０内を脱気するという煩雑な作業が必要となり、透析治療を再開するまである程度の時間を必要とすることになる。
このため、返血チャンバ９３が空の状態となる前に補液ポンプ８３を停止させることができるシステムを備えた持続的血液浄化用装置の提供が望まれていた。
【００１８】
また、血液浄化器に透析液を導くための透析液の流路においても、透析液ポンプが作動しているときに、透析液タンク（透析液バック）から透析液クランプに至る流路が閉塞されてしまうと、血液浄化器のモジュールホルダに空気が混入することが考えられる。
【００１９】
本発明は以上のような事情に基いてなされたものである。
本発明の目的は、容量式計量手段を備えた持続的血液浄化用装置であって、補液ポンプを作動させている状態で、補液タンクから補液クランプに至る流路が閉塞されたときに、補液ポンプの下流側の流路（少なくとも返血チャンバ）に補液が充たされている段階で補液ポンプを停止させることができる持続的血液浄化用装置を提供することにある。
【００２０】
本発明の他の目的は、更に、透析液ポンプを作動させている状態で、透析液タンクから透析液クランプに至る流路が閉塞されたときに、透析液ポンプの下流側の流路（少なくとも血液浄化器の透析液注入ポート）に透析液が充たされている段階で透析液ポンプを停止させることができる持続的血液浄化用装置を提供することにある。
【課題を解決するための手段】
【００２１】
（１）本発明の持続的血液浄化用装置は、患者の静脈または動脈より血液を導出し、浄化後の血液を患者の静脈に返血する持続的血液浄化用装置において、
患者の静脈または動脈から静脈に至る循環回路であって、血液透析ろ過器からなる血液浄化器が配置されている血液体外循環回路と、前記血液浄化器に透析液を導くための透析液流路と、前記血液浄化器により浄化されるまたは浄化された血液に体液成分を含む補液を補給するための補液流路と、血液浄化後の廃液を排出するための廃液流路と、補液流量を間欠的に測定するための容量式計量手段と、前記容量式計量手段を制御する制御部とを備えてなり、
前記血液体外循環回路には、血液ポンプと前記血液浄化器とが配置され、
前記透析液流路には、透析液タンクと、透析液クランプと、透析液ポンプとが、この順に配置され、前記透析液流路は、前記透析液ポンプの配置位置の下流側において前記血液浄化器の透析液注入ポートに接続され、
前記補液流路には、補液タンクと、補液クランプと、補液ポンプとが、この順に配置され、前記補液流路は、前記補液ポンプの配置位置の下流側において前記血液体外循環回路に接続され、
前記補液クランプと前記補液ポンプとの間における前記補液流路には、補液流量を測定するための容量式計量手段として、補液計量用電磁弁と、上側補液レベルセンサと、前記補液タンクよりも低い位置にある補液計量容器と、下側補液レベルセンサとが、この順に配置されている補液分岐流路が接続され、
前記廃液流路には、排出口と、廃液クランプと、廃液ポンプとが、この順に配置され、前記廃液流路は、前記廃液ポンプの配置位置の上流側において前記血液浄化器の透析液排出ポートに接続され、
前記制御部は、所定の時間間隔をあけて、
前記補液計量用電磁弁および前記補液クランプの開閉を制御して、前記上側補液レベルセンサおよび前記下側補液レベルセンサからの検知情報に基いて補液流量を算出するとともに、
前記補液ポンプを作動させているときに、前記下側補液レベルセンサより下方に補液の液面が位置している状態が一定時間継続した場合に、警報発生信号を出力することを特徴とする。
【００２２】
（２）本発明の持続的血液浄化用装置において、前記制御部は、前記補液ポンプを回転させた状態で、前記補液計量用電磁弁および前記補液クランプを「開」状態とすることにより、前記補液タンク内の補液を、補液流路を経由して前記血液体外循環回路に移送させるとともに、補液分岐流路を経由して前記補液計量容器に流入させ、
前記補液計量容器に流入する補液の液面が上昇して前記上側補液レベルセンサにより検知された後に前記補液クランプを「閉」状態として、前記補液計量容器内の補液を、当該補液計量容器から流出させて前記補液分岐流路および前記補液流路を経由して前記血液体外循環回路に移送させ、
前記補液計量容器から流出する補液の液面が下降して前記下側補液レベルセンサにより検知された後、前記補液クランプを「開」状態として補液の液面を前記下側補液レベルセンサより上方に位置するよう上昇させてから前記補液計量用電磁弁を「閉」状態とし、前記補液タンク内の補液を前記補液流路を経由して前記血液体外循環回路に移送させ、
所定の時間間隔をあけて、前記補液計量用電磁弁を「開」状態とする
ことを繰り返し、
前記補液計量容器から流出している補液の液面が、前記上側補液レベルセンサによって検知されてから前記下側補液レベルセンサによって検知されるまでに要した流出時間（ｔ１）およびこの間の補液の流出量（Ｖ１）から、式：Ｌ１＝Ｖ１／ｔ１によって補液流量（Ｌ１）を測定することが好ましい。
【００２３】
（３）上記（２）の持続的血液浄化用装置において、前記制御部は、前記補液計量容器から流出する補液の液面が下降して前記下側補液レベルセンサにより検知された後、当該補液の液面が上昇して前記下側補液レベルセンサにより再度検知されるまで、前記補液クランプおよび前記補液計量用電磁弁を「開」状態に維持させることが好ましい。
【００２４】
（４）本発明の持続的血液浄化用装置において、前記制御部は、前記補液ポンプを作動させているときに、前記下側補液レベルセンサより下方に補液の液面が位置している状態が一定時間継続した場合に、警報発生信号を出力するとともに、前記補液ポンプの停止信号を出力することが好ましい。
【００２５】
（５）本発明の持続的血液浄化用装置は、患者の静脈または動脈より血液を導出し、浄化後の血液を患者の静脈に返血する持続的血液浄化用装置において、
患者の静脈または動脈から静脈に至る循環回路であって、血液透析ろ過器からなる血液浄化器が配置されている血液体外循環回路と、前記血液浄化器に透析液を導くための透析液流路と、前記血液浄化器により浄化されるまたは浄化された血液に体液成分を含む補液を補給するための補液流路と、血液浄化後の廃液を排出するための廃液流路と、透析液流量を間欠的に測定するための容量式計量手段と、前記容量式計量手段を制御する制御部とを備えてなり、
前記血液体外循環回路には、血液ポンプと前記血液浄化器とが配置され、
前記透析液流路には、透析液タンクと、透析液クランプと、透析液ポンプとが、この順に配置され、前記透析液流路は、前記透析液ポンプの配置位置の下流側において前記血液浄化器の透析液注入ポートに接続され、
前記透析液クランプと前記透析液ポンプとの間における前記透析液流路には、透析液流量を測定するための容量式計量手段として、透析液計量用電磁弁と、上側透析液レベルセンサと、前記透析液タンクより低い位置にある透析液計量容器と、下側透析液レベルセンサとが、この順に配置されている透析液分岐流路が接続され、
前記補液流路には、補液タンクと、補液クランプと、補液ポンプとが、この順に配置され、前記補液流路は、前記補液ポンプの配置位置の下流側において前記血液体外循環回路に接続され、
前記廃液流路には、排出口と、廃液クランプと、廃液ポンプとが、この順に配置され、前記廃液流路は、前記廃液ポンプの配置位置の上流側において前記血液浄化器の透析液排出ポートに接続され、
前記制御部は、所定の時間間隔をあけて、
前記透析液計量用電磁弁および前記透析液クランプの開閉を制御して、前記上側透析液レベルセンサおよび前記下側透析液レベルセンサからの検知情報に基いて透析液流量を算出するとともに、
前記透析液ポンプを作動させているときに、前記下側透析液レベルセンサより下方に透析液の液面が位置している状態が一定時間継続した場合に、警報発生信号を出力することを特徴とする。
【００２６】
（６）上記（５）の持続的血液浄化用装置において、前記制御部は、前記透析液ポンプを回転させた状態で、前記透析液計量用電磁弁および前記透析液クランプを「開」状態とすることにより、前記透析液タンク内の透析液を、前記透析液流路を経由して前記血液浄化器の透析液注入ポートに移送させるとともに、透析液分岐流路を経由して前記透析液計量容器に流入させ、
前記透析液計量容器に流入する透析液の液面が上昇して前記上側透析液レベルセンサにより検知された後に前記透析液クランプを「閉」状態として、前記透析液計量容器内の透析液を、当該透析液計量容器から流出させて前記透析液分岐流路および前記透析液流路を経由して前記血液浄化器の透析液注入ポートに移送させ、
前記透析液計量容器から流出する透析液の液面が下降して前記下側透析液レベルセンサにより検知された後、前記透析液クランプを「開」状態として透析液の液面を前記下側透析液レベルセンサより上方に位置するよう上昇させてから前記透析液計量用電磁弁を「閉」状態とし、前記透析液タンク内の透析液を前記透析液流路を経由して前記血液浄化器の透析液注入ポートに移送させ、
所定の時間間隔をあけて、前記透析液計量用電磁弁を「開」状態とする
ことを繰り返し、
前記透析液計量容器から流出している透析液の液面が、前記上側透析液レベルセンサによって検知されてから前記下側透析液レベルセンサによって検知されるまでに要した流出時間（ｔ２）およびこの間の透析液の流出量（Ｖ２）から、式：Ｌ２＝Ｖ２／ｔ２によって透析液流量（Ｌ２）を測定することが好ましい。
【００２７】
（７）上記（６）の持続的血液浄化用装置において、前記制御部は、前記透析液計量容器から流出する透析液の液面が下降して前記下側透析液レベルセンサにより検知された後、当該透析液の液面が上昇して前記下側透析液レベルセンサにより再度検知されるまで、前記透析液クランプおよび前記透析液計量用電磁弁を「開」状態に維持させることが好ましい。
【００２８】
（８）上記（５）〜（７）の持続的血液浄化用装置において、前記制御部は、前記透析液ポンプを作動させているときに、前記下側透析液レベルセンサより下方に透析液の液面が位置している状態が一定時間継続した場合に、警報発生信号を出力するとともに、前記透析液ポンプの停止信号を出力することが好ましい。
【００２９】
（９）本発明の持続的血液浄化用装置において、廃液流量を間欠的に測定するための容量式計量手段と、前記容量式計量手段を制御する制御部とを備えてなり、
前記廃液クランプと前記廃液ポンプとの間における前記廃液流路には、廃液流量を測定するための容量式計量手段として、廃液計量用電磁弁と、上側廃液レベルセンサと、前記血液浄化器の透析液排出ポートより低い位置にある廃液計量容器と、下側廃液レベルセンサとが、この順に配置されている廃液分岐流路が接続され、
前記制御部は、前記廃液ポンプを回転させた状態で、廃液計量用電磁弁を「開」状態とし、前記廃液クランプを「閉」状態とすることにより、前記廃液計量容器内に廃液を流入させ、
前記廃液計量容器に流入する廃液の液面が上昇して前記上側廃液レベルセンサにより検知された後に前記廃液クランプを「開」状態とすることにより、前記廃液計量容器内の廃液を、前記廃液分岐流路および前記廃液流路を経由して前記排出口から排出させ、
所定の時間間隔をあけて、前記廃液クランプを「閉」状態とする
ことを繰り返し、
前記廃液計量容器に流入する廃液の液面が、前記下側廃液レベルセンサによって検知されてから前記上側廃液レベルセンサによって検知されるまでに要した流入時間（ｔ３）およびこの間の廃液の流入量（Ｖ３）から、式：Ｌ３＝Ｖ３／ｔ３によって廃液流量（Ｌ３）を測定することが好ましい。
【００３０】
（１０）上記（４）または（８）の持続的血液浄化用装置において、前記制御部が警報発生信号およびポンプの停止信号を出力する際に、前記血液ポンプを停止させないことが好ましい。
【００３１】
（１１）本発明の持続的血液浄化用装置において、前記制御部は、所定の時間間隔をあけて算出した透析液流量、補液流量および廃液流量が、それぞれの設定値と合致するように、前記透析液ポンプ、前記補液ポンプおよび前記廃液ポンプの各々の回転数を制御するこが好ましい。
【００３２】
（１２）本発明の持続的血液浄化用装置は、患者の静脈または動脈より血液を導出し、浄化後の血液を患者の静脈に返血する持続的血液浄化用装置（持続的血液ろ過装置）において、
患者の静脈または動脈から静脈に至る循環回路であって、血液ろ過器からなる血液浄化器が配置されている血液体外循環回路と、前記血液浄化器により浄化されるまたは浄化された血液に体液成分を含む補液を補給するための補液流路と、血液浄化後の廃液を排出するための廃液流路と、補液流量を間欠的に測定するための容量式計量手段と、前記容量式計量手段を制御する制御部とを備えてなり、
前記血液体外循環回路には、血液ポンプと前記血液浄化器とが配置され、
前記補液流路には、補液タンクと、補液クランプと、補液ポンプとが、この順に配置され、前記補液流路は、前記補液ポンプの配置位置の下流側において前記血液体外循環回路に接続され、
前記補液クランプと前記補液ポンプとの間における前記補液流路には、補液流量を測定するための容量式計量手段として、補液計量用電磁弁と、上側補液レベルセンサと、前記補液タンクよりも低い位置にある補液計量容器と、下側補液レベルセンサとが、この順に配置されている補液分岐流路が接続され、
前記廃液流路には、排出口と、廃液クランプと、廃液ポンプとが、この順に配置され、前記廃液流路は、前記廃液ポンプの配置位置の上流側において前記血液浄化器に接続され、
前記制御部は、所定の時間間隔をあけて、
前記補液計量用電磁弁および前記補液クランプの開閉を制御して、前記上側補液レベルセンサおよび前記下側補液レベルセンサからの検知情報に基いて補液流量を算出するとともに、
前記制御部は、前記補液ポンプを作動させているときに、前記下側補液レベルセンサより下方に補液の液面が位置している状態が一定時間継続した場合に、警報発生信号を出力することを特徴とする。
【００３３】
（１３）本発明の持続的血液浄化用装置は、患者の静脈または動脈より血液を導出し、浄化後の血液を患者の静脈に返血する持続的血液浄化用装置（持続的血液透析装置）において、
患者の静脈または動脈から静脈に至る循環回路であって、血液透析器からなる血液浄化器が配置されている血液体外循環回路と、前記血液浄化器に透析液を導くための透析液流路と、血液浄化後の廃液を排出するための廃液流路と、透析液流量を間欠的に測定するための容量式計量手段と、前記容量式計量手段を制御する制御部とを備えてなり、
前記血液体外循環回路には、血液ポンプと前記血液浄化器とが配置され、
前記透析液流路には、透析液タンクと、透析液クランプと、透析液ポンプとが、この順に配置され、前記透析液流路は、前記透析液ポンプの配置位置の下流側において前記血液浄化器の透析液注入ポートに接続され、
前記透析液クランプと前記透析液ポンプとの間における前記透析液流路には、透析液流量を測定するための容量式計量手段として、透析液計量用電磁弁と、上側透析液レベルセンサと、前記透析液タンクより低い位置にある透析液計量容器と、下側透析液レベルセンサとが、この順に配置されている透析液分岐流路が接続され、
前記廃液流路には、排出口と、廃液クランプと、廃液ポンプとが、この順に配置され、前記廃液流路は、前記廃液ポンプの配置位置の上流側において前記血液浄化器の透析液排出ポートに接続され、
前記制御部は、所定の時間間隔をあけて、
前記透析液計量用電磁弁および前記透析液クランプの開閉を制御して、前記上側透析液レベルセンサおよび前記下側透析液レベルセンサからの検知情報に基いて透析液流量を算出するとともに、
前記制御部は、前記透析液ポンプを作動させているときに、前記下側透析液レベルセンサより下方に透析液の液面が位置している状態が一定時間継続した場合に、警報発生信号を出力することを特徴とする。
【発明の効果】
【００３４】
上記（１）〜（４）、（１２）の持続的血液浄化用装置よれば、補液ポンプを作動させている状態で補液タンクから補液クランプに至る流路が閉塞されたときに、補液ポンプの下流側の流路（少なくとも返血チャンバ）に補液が充たされている段階で補液ポンプを停止させることができる。これにより、閉塞状態が解消された後に、短時間で透析治療を再開することができる。
【００３５】
上記（５）〜（８）、（１３）の持続的血液浄化用装置によれば、透析液ポンプを作動させている状態で透析液タンクから透析液クランプに至る流路が閉塞されたときに、透析液ポンプの下流側の流路（少なくとも血液浄化器の透析液注入ポート）に透析液が充たされている段階で透析液ポンプを停止させることができる。これにより、そのような閉塞によって血液浄化器のモジュールホルダに空気が混入するようなことはなく、閉塞状態が解消された後に、短時間で透析治療を再開することができる。
【００３６】
上記（９）の持続的血液浄化用装置よれば、更に、廃液流量を精度よく測定することができる。
上記（１０）の持続的血液浄化用装置よれば、更に、前記補液ポンプまたは前記透析液ポンプの停止時における血液の凝固を防止することができる。
上記（１１）の持続的血液浄化用装置よれば、更に、透析液、補液、廃液の流量を正確に制御することができる。
【図面の簡単な説明】
【００３７】
【図１】本発明の一実施形態に係る持続的血液浄化用装置のフロー図である。
【図２】図１に示した持続的血液浄化用装置において、制御部と補液流量を測定するための容量式計量手段との接続関係を示すブロック図である。
【図３Ａ】補液流量を測定するための容量式計量手段の動作（ＳＴＥＰ−Ａ１〜Ａ７）を示すフローチャートである。
【図３Ｂ】補液流量を測定するための容量式計量手段の動作（ＳＴＥＰ−Ａ８〜Ａ１６）を示すフローチャートである。
【図４】下側補液レベルセンサによる液面レベルの監視と、監視結果に基づく制御部の動作を示すフローチャートである。
【図５】図１に示した持続的血液浄化用装置において、制御部と、透析液流量を測定するための容量式計量手段との接続関係を示すブロック図である。
【図６Ａ】透析液流量を測定するための容量式計量手段の動作（ＳＴＥＰ−Ｃ１〜Ｃ７）を示すフローチャートである。
【図６Ｂ】透析液流量を測定するための容量式計量手段の動作（ＳＴＥＰ−Ｃ８〜Ｃ１６）を示すフローチャートである。
【図７】下側透析液レベルセンサによる液面レベルの監視と、監視結果に基づく制御部の動作を示すフローチャートである。
【図８】図１に示した持続的血液浄化用装置において、制御部と、廃液流量を測定するための容量式計量手段との接続関係を示すブロック図である。
【図９】廃液液流量を測定するための容量式計量手段の動作を示すフローチャートである。
【図１０】従来の持続的血液浄化用装置において、補液流量を測定するための容量式計量手段の概略構成を示すフロー図である。
【発明を実施するための形態】
【００３８】
以下、本発明の持続的血液浄化用装置について説明する。
図１に示す持続的血液浄化用装置１００は、患者の静脈または動脈より血液を導出し、浄化後の血液を患者の静脈に返血する持続的血液浄化用装置である。
【００３９】
＜全体構成＞
本実施形態の持続的血液浄化用装置１００は、患者の静脈または動脈から静脈に至る循環回路であって、血液透析ろ過器からなる血液浄化器１２が配置されている血液体外循環回路１０と、血液浄化器１２に透析液を導くための透析液流路２０と、血液浄化器１２により浄化された血液に体液成分を含む補液を補給するための補液流路３０と、血液浄化後の廃液を排出するための廃液流路４０と、透析液、補液および廃液の流量を互いに独立して間欠的に測定するための容量式計量手段と、容量式計量手段を制御する制御部とを備えている。
【００４０】
血液浄化用装置１００を構成する血液体外循環回路１０には、患者の血液を導出する側から返血する側に向かって、血液ポンプ１１（ローラポンプ）と、血液浄化器１２と、返血チャンバ１３と、気泡センサ１４と、気泡クランプ１５とが、この順に配置されている。１６はシリンジポンプであり、このシリンジポンプ１６によって血液体外循環回路１０を循環させる血液に抗凝固剤が注入される。
【００４１】
血液浄化用装置１００を構成する透析液流路２０には、透析液タンク２１と、透析液クランプ２２と、透析液ポンプ２３（ローラポンプ）と、加温器２４とが、この順に配置され、この透析液流路２０は、透析液ポンプ２３の配置位置の下流側において血液浄化器１２の透析液注入ポートに接続されている。
また、透析液クランプ２２と透析液ポンプ２３との間における透析液流路２０には、透析液流量を測定するための容量式計量手段として、透析液計量用電磁弁２６と、上側透析液レベルセンサ２７と、透析液タンク２１よりも低い位置にある透析液計量容器２８と、下側透析液レベルセンサ２９とが、この順に配置されている透析液分岐流路２５が接続されている。
【００４２】
血液浄化用装置１００を構成する補液流路３０には、補液タンク３１と、補液クランプ３２と、補液ポンプ３３（ローラポンプ）とが、この順に配置され、この補液流路３０は、補液ポンプ３３の配置位置の下流側において、血液浄化器１２の血液排出側における血液体外循環回路１０（返血チャンバ１３）に接続されている。
また、補液クランプ３２と補液ポンプ３３との間における補液流路３０には、補液流量を測定するための容量式計量手段として、補液計量用電磁弁３６と、上側補液レベルセンサ３７と、補液タンク３１よりも低い位置にある補液計量容器３８と、下側補液レベルセンサ３９とが、この順に配置されている補液分岐流路３５が接続されている。
【００４３】
血液浄化用装置１００を構成する廃液流路４０には、排出口４１と、廃液クランプ４２と、廃液ポンプ４３（ローラポンプ）とが、この順に配置され、この廃液流路４０は、廃液ポンプ４３の配置位置の上流側において血液浄化器１２の透析液排出ポートに接続されている。
また、廃液クランプ４２と廃液ポンプ４３との間における廃液流路４０には、廃液流量を測定するための容量式計量手段として、廃液計量用電磁弁４６と、上側廃液レベルセンサ４７と、血液浄化器１２の透析液排出ポートよりも低くて排出口４１よりも高い位置にある廃液計量容器４８と、下側廃液レベルセンサ４９とが、この順に配置されている廃液分岐流路４５が接続されている。
【００４４】
血液浄化用装置１００を構成する制御部５０（図１において図示せず）は、所定の時間間隔をあけて、透析液計量用電磁弁２６および透析液クランプ２２の開閉を制御して、上側透析液レベルセンサ２７および下側透析液レベルセンサ２９からの検知情報に基いて透析液流量を算出する。
【００４５】
また、この制御部５０は、所定の時間間隔をあけて、補液計量用電磁弁３６および補液クランプ３２の開閉を制御して、上側補液レベルセンサ３７および下側補液レベルセンサ３９からの検知情報に基いて補液流量を算出する。
【００４６】
また、この制御部５０は、所定の時間間隔をあけて、廃液計量用電磁弁４６および廃液クランプ４２の開閉を制御して、上側廃液レベルセンサ４７および下側廃液レベルセンサ４９からの検知情報に基いて廃液流量を算出する。
【００４７】
更に、この制御部５０は、透析液ポンプ２３を作動させているときに、下側透析液レベルセンサ２９よりも下方に透析液の液面が位置している（すなわち、下側透析液レベルセンサ２９が空気を検知している）状態が一定時間継続した場合に、警報装置６０に警報発生信号を出力するとともに、透析液ポンプ２３に対して停止信号を出力する。
【００４８】
更に、この制御部５０は、補液ポンプ３３を作動させているときに、下側補液レベルセンサ３９よりも下方に補液の液面が位置している（すなわち、下側補液レベルセンサ３９が空気を検知している）状態が一定時間継続した場合に、警報装置６０に警報発生信号を出力するとともに、補液ポンプ３３に対して停止信号を出力する。
【００４９】
＜補液流路系統＞
本実施形態の血液浄化用装置１００では、これを使用して行われる透析治療（血液透析ろ過治療法）中に、所定の時間間隔をあけて（すなわち間欠的に）補液流量が測定される。ここに、「所定の時間間隔」（補液流量の測定間隔）としては、補液流量などによっても異なるが、例えば１〜２０分間とされる。
【００５０】
以下、図１〜図３Ａおよび図３Ｂを用いて、補液流量の測定手順を説明する。
ここで、図２は、制御部と、補液流量を測定するための容量式計量手段との接続関係を示しており、同図に示した制御部５０は、補液クランプ３２、補液計量用電磁弁３６、上側補液レベルセンサ３７、下側補液レベルセンサ３９、補液ポンプ３３および警報装置６０に接続されている。
【００５１】
先ず、制御部５０は、補液の設定流量に基いた回転数で補液ポンプ３３を作動させ（図３ＡのＳＴＥＰ−Ａ１）、補液計量用電磁弁３６および補液クランプ３２を「開」状態とする（ＳＴＥＰ−Ａ２）。
ここに、補液の設定流量としては、１０〜３０００ｍＬ／ｈｒとされ、好ましくは５００〜１０００ｍＬ／ｈｒとされる。
これにより、補液タンク３１内の補液は、補液流路３０を経由して血液体外循環回路１０（返血チャンバ１３）に移送されるとともに、補液タンク３１との高低差によって補液分岐流路３５を経由して補液計量容器３８に流入する（ＳＴＥＰ−Ａ３）。
【００５２】
制御部５０は、補液計量容器３８に流入する補液の液面が上昇して上側補液レベルセンサ３７により検知された（上側補液レベルセンサ３７のレベルに到達した）か否かを判断し（ＳＴＥＰ−Ａ４）、検知されたと判断した場合には、補液クランプ３２を「閉」状態として補液タンク３１からの補液の供給を遮断し（ＳＴＥＰ−Ａ５）、補液計量容器３８内の補液を流出させる（ＳＴＥＰ−Ａ６）。補液計量容器３８から流出した補液は、補液分岐流路３５および補液流路３０を経由して血液体外循環回路１０（返血チャンバ１３）に移送される。
なお、ＳＴＥＰ−Ａ４において、補液の液面が上側補液レベルセンサ３７によって検知されていないと制御部５０が判断した場合には、ＳＴＥＰ−Ａ３に戻って、補液計量容器３８への補液の流入を継続させる。
【００５３】
次に、制御部５０は、ＳＴＥＰ−Ａ６において補液計量容器３８から流出している補液の液面が下降して下側補液レベルセンサ３９により検知されたか否かを判断し（ＳＴＥＰ−Ａ７）、検知されたと判断されると（このとき、制御部５０は、上側補液レベルセンサ３７によって検知されてから下側補液レベルセンサ３９によって検知されるまでに要した流出時間（ｔ１）を取得する。）、補液クランプ３２を「開」状態として（図３ＢのＳＴＥＰ−Ａ８）、補液計量容器３８内に補液を再び流入させる（ＳＴＥＰ−Ａ９）。
なお、ＳＴＥＰ−Ａ７において、下降する補液の液面が下側補液レベルセンサ３９により検知されていないと制御部５０が判断した場合には、ＳＴＥＰ−Ａ６に戻って、補液計量容器３８からの補液の流出（流出時間（ｔ１）の計測）を継続させる。
【００５４】
次に、制御部５０は、ＳＴＥＰ−Ａ９において補液計量容器３８に流入した補液の液面が下側補液レベルセンサ３９によって検知された（下側補液レベルセンサ３９のレベルに到達した）か否かを判断し（ＳＴＥＰ−Ａ１０）、検知されたと判断されると、補液計量用電磁弁３６を「閉」状態として補液計量容器３８内に補液を保持させるとともに（ＳＴＥＰ−Ａ１１）、補液タンク３１内の補液を補液流路３０を経由して血液体外循環回路１０に移送させる（ＳＴＥＰ−Ａ１２）。
【００５５】
なお、ＳＴＥＰ−Ａ１０において、上昇する補液の液面が下側補液レベルセンサ３９により検知されていないと制御部５０が判断した場合には、ＳＴＥＰ−Ａ９に戻って、補液計量容器３８への補液の流入を継続させる。すなわち、補液の液面が上昇して下側補液レベルセンサ３９により再度検知されるまで、補液クランプ３２および補液計量用電磁弁３６は「開」状態に維持される。これにより、流出時間（ｔ１）の計測後、透析治療中における補液計量容器３８内には補液が保持され、補液分岐流路３５は確実に補液で充たされていることになる。
【００５６】
なお、補液クランプ３２を「開」状態として（ＳＴＥＰ−Ａ８）補液計量容器３８内に補液を流入させる（ＳＴＥＰ−Ａ９）ことにより、通常、比較的短時間で、補液の液面が下側補液レベルセンサ３９のレベルに到達することから、ＳＴＥＰ−Ａ１０を実行しないで、補液クランプ３２を「開」状態としてから一定時間経過後に補液計量用電磁弁３６を「閉」状態とするように制御してもよい。
【００５７】
次に、制御部５０は、前回の補液流量の測定を開始したときから所定の時間（例えば１分間）が経過したか否かを判断し（ＳＴＥＰ−Ａ１３）、所定の時間が経過したと制御部５０が判断すると、補液計量用電磁弁３６を「開」状態する（ＳＴＥＰ−Ａ１４）。
なお、ＳＴＥＰ−Ａ１３において、所定の時間が経過していないと制御部５０が判断した場合には、ＳＴＥＰ−Ａ１２に戻って、補液タンク３１内の補液を血液体外循環回路１０に移送させることを継続させる。
【００５８】
次に、制御部５０は、血液浄化用装置１００による透析治療を終了する状態であるか否かを判断し（ＳＴＥＰ−Ａ１５）、終了する状態であると判断した場合には、補液ポンプ３３を停止させる（ＳＴＥＰ−Ａ１６）。
なお、ＳＴＥＰ−Ａ１５において、透析治療を終了する状態でないと判断した場合には、ＳＴＥＰ−Ａ３に戻って、補液タンク３１内の補液を血液体外循環回路１０に移送させるとともに、補液計量容器３８にも流入させる。
【００５９】
そして、ＳＴＥＰ−Ａ５からＳＴＥＰ−Ａ８において、補液計量容器３８から流出している補液の液面が、上側補液レベルセンサ３７に検知されてから下側補液レベルセンサ３９に検知されるまでに要した上記の流出時間（ｔ１）およびこの間の補液の流出量（Ｖ１）から、式：Ｌ１＝Ｖ１／ｔ１によって補液流量（Ｌ１）を算出する。
【００６０】
このようにして算出される補液流量（Ｌ１）が、設定流量より低い場合には補液ポンプ３３の回転数を上げ、設定流量より高い場合には補液ポンプ３３の回転数を下げることにより、継続して測定される補液流量（Ｌ１）を設定流量と合致させる。
【００６１】
血液浄化用装置１００を構成する制御部５０は、上記のようにして、所定の時間間隔をあけて補液流量を測定するとともに、これと並行して、補液ポンプ３３を作動させているときに、補液の液面レベルが、下側補液レベルセンサ３９の上方にあるか下方にあるかについての情報を当該下側補液レベルセンサ３９から継続的に取得し、下側補液レベルセンサ３９の下方に補液の液面が位置している状態が一定時間継続した場合には、補液タンク３１から補液クランプ３２に至る補液流路３０が閉塞されているものと判定し、警報装置６０に警報発生信号を出力するとともに、補液ポンプ３３に対しては停止信号を出力する。
【００６２】
以下、図４を用いて、この手順について説明する。
補液ポンプ３３を作動させている状態（図４のＳＴＥＰ−Ｂ１）において、制御部５０は、下側補液レベルセンサ３９の配置位置（レベル）に存在する補液または空気を、当該下側補液レベルセンサ３９によって検知させる（ＳＴＥＰ−Ｂ２）。
【００６３】
ここに、下側補液レベルセンサ３９により空気が検知されているときには、補液の液面レベルは下側補液レベルセンサ３９の下方にあり、補液が検知されている場合には、補液の液面レベルは下側補液レベルセンサ３９の上方にある。
このように、下側補液レベルセンサ３９は、補液の液面が、下側補液レベルセンサ３９の配置位置（レベル）の上方にあるか下方にあるかを常に検知している。
【００６４】
そこで、制御部５０は、下側補液レベルセンサ３９により空気が検知されているか否かを、例えば１秒間隔で継続的に判断し（ＳＴＥＰ−Ｂ３）、空気が検知されていると判断した場合には、更に、空気が検知されている状態が一定時間継続しているか否かを判断し（ＳＴＥＰ−Ｂ４）、継続していると判断した場合には、警報装置６０に警報発生信号を出力するとともに、補液ポンプ３３に対しては停止信号を出力する（ＳＴＥＰ−Ｂ５）。
【００６５】
ここに、ＳＴＥＰ−Ｂ４における「一定時間」は、補液タンク３１から補液クランプ３２に至る補液流路３０が閉塞された状態であることを判定できる時間であって、補液ポンプ３３による補液の吸引に伴って当該補液ポンプ３３の下流側（少なくとも返血チャンバ１３）に空気を到達させない時間とされ、下側補液レベルセンサ３９から補液ポンプ３３に至る流路の長さによっても異なるが、通常、２〜３０秒間とされ、好ましくは３〜１０秒間、好適な一例を示せば５秒間である。
【００６６】
この時間が短すぎる場合には、誤作動による警報の発生および補液ポンプ３３の停止を招くおそれがある。他方、この時間が長すぎる場合には、補液タンク３１から補液クランプ３２に至る補液流路３０が閉塞されたときに、補液ポンプ３３の停止が遅れ、停止時において、補液ポンプ３３の下流側の流路に補液が充たされた状態とすることができないことがある。
【００６７】
なお、ＳＴＥＰ−Ｂ３において、下側補液レベルセンサ３９によって空気が検知されていない（補液が検知されている）場合、ＳＴＥＰ−Ｂ４において、下側補液レベルセンサ３９によって空気が検知されている時間が一定時間より短かった場合には、ＳＴＥＰ−Ｂ２に戻り、下側補液レベルセンサ３９による補液または空気の検知を継続させる。
【００６８】
また、ＳＴＥＰ−Ｂ５において、制御部５０が出力した停止信号により補液ポンプ３３を停止させるとともに、血液ポンプ１１を停止させてもよいが、血液ポンプ１１の作動（血液の循環）を継続させることもできる。血液ポンプ１１の作動を継続することにより、補液ポンプ３３の停止時における血液の凝固を防止することができる。
【００６９】
上記のように、本実施形態の血液浄化用装置１００では、これを構成する下側補液レベルセンサ３９を、補液流量を測定する（流出時間（ｔ１）を決定する）ための検知手段として使用するとともに、補液タンク３１から補液クランプ３２に至る補液流路３０が閉塞されている状態であることを検知するための手段として利用している点に特徴がある。
【００７０】
＜透析液流路系統＞
本実施形態の血液浄化用装置１００では、これを使用して行われる透析治療中において、所定の時間間隔をあけて（すなわち間欠的に）、透析液流量も測定される。
ここに、「所定の時間間隔」（透析液流量の測定間隔）としては、補液流量の測定間隔と同様である。
【００７１】
以下、図１、図５、図６Ａおよび図６Ｂを用いて、透析液流量の測定手順を説明する。ここで、図５は、制御部と、透析液流量を測定するための容量式計量手段との接続関係を示しており、同図に示した制御部５０は、透析液クランプ２２、透析液計量用電磁弁２６、上側透析液レベルセンサ２７、下側透析液レベルセンサ２９、透析液ポンプ２３および警報装置６０に接続されている。
【００７２】
先ず、制御部５０は、透析液の設定流量に基いた回転数で透析液ポンプ２３を作動させ（図６ＡのＳＴＥＰ−Ｃ１）、透析液計量用電磁弁２６および透析液クランプ２２を「開」状態とする（ＳＴＥＰ−Ｃ２）。
ここに、透析液の設定流量としては、１０〜４０００ｍＬ／ｈｒとされ、好ましくは５００〜１０００ｍＬ／ｈｒとされる。
これにより、透析液タンク２１内の透析液は、透析液流路２０を経由して血液浄化器１２の透析液注入ポートに移送されるとともに、透析液タンク２１との高低差によって透析液分岐流路２５を経由して透析液計量容器２８に流入する（ＳＴＥＰ−Ｃ３）。
【００７３】
制御部５０は、透析液計量容器２８に流入する透析液の液面が上昇して上側透析液レベルセンサ２７により検知された（上側透析液レベルセンサ２７のレベルに到達した）か否かを判断し（ＳＴＥＰ−Ｃ４）、検知されたと判断した場合には、透析液クランプ２２を「閉」状態として透析液タンク２１からの透析液の供給を遮断し（ＳＴＥＰ−Ｃ５）、透析液計量容器２８内の透析液を流出させる（ＳＴＥＰ−Ｃ６）。透析液計量容器２８から流出した透析液は、透析液分岐流路２５および透析液流路２０を経由して血液浄化器１２の透析液注入ポートに移送される。
なお、ＳＴＥＰ−Ｃ４において、透析液の液面が上側透析液レベルセンサ２７によって検知されていないと制御部５０が判断した場合には、ＳＴＥＰ−Ｃ３に戻って、透析液計量容器２８への透析液の流入を継続させる。
【００７４】
次に、制御部５０は、ＳＴＥＰ−Ｃ６において透析液計量容器２８から流出している透析液の液面が下降して下側透析液レベルセンサ２９により検知されたか否かを判断し（ＳＴＥＰ−Ｃ７）、検知されたと判断されると（このとき、制御部５０は、上側透析液レベルセンサ２７によって検知されてから下側透析液レベルセンサ２９によって検知されるまでに要した流出時間（ｔ２）を取得する。）、透析液クランプ２２を「開」状態として（図６ＢのＳＴＥＰ−Ｃ８）、透析液計量容器２８内に透析液を再び流入させる（ＳＴＥＰ−Ｃ９）。
なお、ＳＴＥＰ−Ｃ７において、下降する透析液の液面が下側透析液レベルセンサ２９により検知されていないと制御部５０が判断した場合には、ＳＴＥＰ−Ｃ６に戻って、透析液計量容器２８からの透析液の流出（時間（ｔ２）の計測）を継続させる。
【００７５】
次に、制御部５０は、ＳＴＥＰ−Ｃ９において透析液計量容器２８内に流入した透析液の液面が下側透析液レベルセンサ２９によって検知された（下側透析液レベルセンサ２９のレベルに到達した）か否かを判断し（ＳＴＥＰ−Ｃ１０）、検知されたと判断されると、透析液計量用電磁弁２６を「閉」状態として透析液計量容器２８に透析液を保持させるとともに（ＳＴＥＰ−Ｃ１１）、透析液タンク２１内の透析液を、透析液流路２０を経由して血液浄化器１２の透析液注入ポートに移送させる（ＳＴＥＰ−Ｃ１２）。
【００７６】
なお、ＳＴＥＰ−Ｃ１０において、上昇する透析液の液面が下側透析液レベルセンサ２９により検知されていないと制御部５０が判断した場合には、ＳＴＥＰ−Ｃ９に戻って、透析液計量容器２８への透析液の流入を継続させる。すなわち、透析液の液面が上昇して下側透析液レベルセンサ２９により再度検知されるまで、透析液クランプ２２および透析液計量用電磁弁２６は「開」状態に維持される。これにより、流出時間（ｔ２）の計測後、透析治療中における透析液計量容器２８内には透析液が保持され、透析液分岐流路２５は確実に透析液で充たされていることになる。
【００７７】
なお、透析液クランプ２２を「開」状態として（ＳＴＥＰ−Ｃ８）透析液計量容器２８内に透析液を流入させる（ＳＴＥＰ−Ｃ９）ことにより、通常、比較的短時間で、透析液の液面が下側透析液レベルセンサ２９のレベルに到達することから、ＳＴＥＰ−Ｃ１０を実行しないで、透析液クランプ２２を「開」状態としてから一定時間経過後に透析液計量用電磁弁２６を「閉」状態とするように制御してもよい。
【００７８】
次に、制御部５０は、前回の透析液流量の測定を開始したときから所定の時間（例えば１分間）が経過したか否かを判断し（ＳＴＥＰ−Ｃ１３）、所定の時間が経過したと制御部５０が判断すると、透析液計量用電磁弁２６を「開」状態する（ＳＴＥＰ−Ｃ１４）。  なお、ＳＴＥＰ−Ｃ１３において、所定の時間が経過していないと制御部５０が判断した場合には、ＳＴＥＰ−Ｃ１２に戻って、透析液タンク２１内の透析液を血液浄化器１２の透析液注入ポートに移送させることを継続させる。
【００７９】
次に、制御部５０は、血液浄化用装置１００による透析治療を終了する状態であるか否かを判断し（ＳＴＥＰ−Ｃ１５）、終了する状態であると判断した場合には、透析液ポンプ２３を停止させる（ＳＴＥＰ−Ｃ１６）。
なお、ＳＴＥＰ−Ｃ１５において、透析治療を終了する状態でないと判断した場合には、ＳＴＥＰ−Ｃ３に戻って、透析液タンク２１内の透析液を血液浄化器１２の透析液注入ポートに移送させるとともに、透析液計量容器２８にも流入させる。
【００８０】
そして、ＳＴＥＰ−Ｃ５からＳＴＥＰ−Ｃ８において、透析液計量容器２８から流出している透析液の液面が、上側透析液レベルセンサ２７に検知されてから下側透析液レベルセンサ２９に検知されるまでに要した上記の流出時間（ｔ２）およびこの間の透析液の流出量（Ｖ２）から、式：Ｌ２＝Ｖ２／ｔ２によって透析液流量（Ｌ２）を算出する。
【００８１】
このようにして算出される透析液流量（Ｌ２）が、設定流量より低い場合には透析液ポンプ２３の回転数を上げ、設定流量より高い場合には透析液ポンプ２３の回転数を下げることにより、継続して測定される透析液流量（Ｌ２）を設定流量と合致させる。
【００８２】
血液浄化用装置１００を構成する制御部５０は、上記のようにして、所定の時間間隔をあけて透析液流量を測定するとともに、これと並行して、透析液ポンプ２３を作動させているときに、透析液の液面レベルが、下側透析液レベルセンサ２９より上方にあるか下方にあるかについての情報を当該下側透析液レベルセンサ２９から継続的に取得し、下側透析液レベルセンサ２９より下方に透析液の液面が位置している状態が一定時間継続した場合には、警報装置６０に警報発生信号を出力するとともに、透析液ポンプ２３に対しては停止信号を出力する。
【００８３】
以下、図７を用いて、この手順について説明する。
透析液ポンプ２３を作動させている状態（図７のＳＴＥＰ−Ｄ１）において、制御部５０は、下側透析液レベルセンサ２９の配置位置（レベル）に存在する透析液または空気を、当該下側透析液レベルセンサ２９によって検知させる（ＳＴＥＰ−Ｄ２）。
【００８４】
ここに、下側透析液レベルセンサ２９により空気が検知されているときには、透析液の液面レベルは下側透析液レベルセンサ２９の下方にあり、透析液が検知されている場合には、透析液の液面レベルは下側透析液レベルセンサ２９の上方にある。
このように、下側透析液レベルセンサ２９は、透析液の液面が、下側透析液レベルセンサ２９の配置位置（レベル）の上方にあるか下方にあるかを常に検知している。
【００８５】
そこで、制御部５０は、下側透析液レベルセンサ２９により空気が検知されているか否かを、例えば１秒間隔で継続的に判断し（ＳＴＥＰ−Ｄ３）、空気が検知されていると判断した場合には、更に、空気が検知されている状態が一定時間継続しているか否かを判断し（ＳＴＥＰ−Ｄ４）、継続していると判断した場合には、警報装置６０に警報発生信号を出力するとともに、透析液ポンプ２３に対しては停止信号を出力する（ＳＴＥＰ−Ｄ５）。
【００８６】
ここに、ＳＴＥＰ−Ｄ４における「一定時間」としては、透析液タンク２１から透析液クランプ２２に至る透析液流路２０が閉塞された状態であることを判定できる時間であって、透析液ポンプ２３による透析液の吸引に伴って当該透析液ポンプ２３の下流側（少なくとも血液浄化器１２の透析液注入ポート）に空気を到達させない時間とされ、下側透析液レベルセンサ２９から透析液ポンプ２３に至る流路の長さによっても異なるが、通常、２〜３０秒間とされ、好ましくは３〜１０秒間、好適な一例を示せば５秒間である。
この時間が短すぎる場合には、誤作動による警報の発生および透析液ポンプ２３の停止を招くおそれがある。他方、この時間が長すぎる場合には、透析液タンク２１から透析液クランプ２２に至る透析液流路２０が閉塞されたときに、透析液ポンプ２３の停止が遅れ、停止時において、透析液ポンプ２３の下流側の流路に透析液が充たされた状態とすることができないことがある。
【００８７】
なお、ＳＴＥＰ−Ｄ３において、下側透析液レベルセンサ２９によって空気が検知されていない（透析液が検知されている）場合、ＳＴＥＰ−Ｄ４において、下側透析液レベルセンサ２９によって空気が検知されている時間が一定時間より短かった場合には、ＳＴＥＰ−Ｄ２に戻り、下側透析液レベルセンサ２９による透析液または空気の検知を継続させる。
また、ＳＴＥＰ−Ｄ５において、制御部５０が出力した停止信号により透析液ポンプ２３を停止させるとともに、血液ポンプ１１を停止させてもよいが、血液ポンプ１１の作動（血液の循環）を継続させることもできる。血液ポンプ１１の作動を継続することにより、透析液ポンプ２３の停止時における血液の凝固を防止することができる。
【００８８】
上記のように、本実施形態の血液浄化用装置１００では、これを構成する下側透析液レベルセンサ２９を、透析液流量を測定する（流出時間（ｔ２）を決定する）ための検知手段として使用するとともに、透析液タンク２１から透析液クランプ２２に至る透析液流路２０が閉塞されている状態であることを検知するための手段として利用している点に特徴がある。
【００８９】
＜廃液流路系統＞
本実施形態の血液浄化用装置１００では、これを使用して行われる透析治療中において、所定の時間間隔をあけて（すなわち間欠的に）、廃液流量も測定される。
ここに、「所定の時間間隔」（廃液流量の測定間隔）としては、補液流量の測定間隔と同様である。
【００９０】
以下、図１、図８および図９を用いて、透析液流量の測定手順を説明する。
ここで、図８は、制御部と、廃液流量を測定するための容量式計量手段との接続関係を示しており、同図に示した制御部５０は、廃液クランプ４２、廃液計量用電磁弁４６、上側廃液レベルセンサ４７、下側廃液レベルセンサ４９、廃液ポンプ４３および警報装置６０に接続されている。
【００９１】
先ず、制御部５０は、廃液の設定流量に基いた回転数で廃液ポンプ４３を回転させ（図９のＳＴＥＰ−Ｅ１）、廃液計量用電磁弁４６を「開」状態とし、廃液クランプ４２を「閉」状態とする（ＳＴＥＰ−Ｅ２）。
これにより、血液浄化器１２の透析液排出ポートからの廃液は、廃液流路４０および廃液分岐流路４５を経由して廃液計量容器４８に流入する（ＳＴＥＰ−Ｅ３）。
【００９２】
制御部５０は、廃液計量容器４８に流入する廃液の液面が上昇して下側廃液レベルセンサ４９および上側廃液レベルセンサ４７によって検知された（下側廃液レベルセンサ４９によって検知されてから上側廃液レベルセンサ４７によって検知されるまでに要した流入時間（ｔ３）を取得した）か否かを判断する（ＳＴＥＰ−Ｅ４）。
そして、検知されたと判断した場合には、廃液クランプ４２を「開」状態として（ＳＴＥＰ−Ｅ５）、廃液計量容器４８内の廃液を廃液分岐流路および廃液流路を経由して排出口４１から排出させる（ＳＴＥＰ−Ｅ６）。
なお、ＳＴＥＰ−Ｅ４において、検知されないと制御部５０が判断した場合には、ＳＴＥＰ−Ｅ３に戻って、血液浄化器１２の透析液排出ポートから廃液計量容器４８への廃液の流入を継続させる。
【００９３】
次に、制御部５０は、前回の廃液流量の測定を開始したときから所定の時間（例えば１分間）が経過したか否かを判断し（ＳＴＥＰ−Ｅ７）、所定の時間が経過したと判断すると、廃液クランプ４２を「閉」状態とする（ＳＴＥＰ−Ｅ８）。
なお、ＳＴＥＰ−Ｅ７において、所定の時間が経過していないと制御部５０が判断した場合には、ＳＴＥＰ−Ｅ６に戻って排出口４１から廃液を排出させる。
【００９４】
次に、制御部５０は、血液浄化用装置１００による透析治療を終了する状態であるか否かを判断し（ＳＴＥＰ−Ｅ９）、終了する状態であると判断した場合には、廃液ポンプ４３を停止させる（ＳＴＥＰ−Ｅ１０）。
なお、ＳＴＥＰ−Ｅ９において、透析治療を終了する状態でないと判断した場合には、ＳＴＥＰ−Ｅ３に戻って、廃液計量容器４８への廃液の流入を継続させる。
【００９５】
そして、ＳＴＥＰ−Ｅ２からＳＴＥＰ−Ｅ５において、廃液計量容器４８に流入する廃液の液面が、下側廃液レベルセンサ４９によって検知されてから上側廃液レベルセンサ４７によって検知されるまでに要した流入時間（ｔ３）およびこの間の廃液の流入量（Ｖ３）から、式：Ｌ３＝Ｖ３／ｔ３によって廃液流量（Ｌ３）を算出する。
【００９６】
本実施形態の血液浄化用装置１００によれば、補液ポンプ３３を作動させている状態で補液タンク３１から補液クランプ３２に至る補液流路３０が閉塞されたときに、下側補液レベルセンサ３９により空気が検知されている（下側補液レベルセンサ３９の配置位置の下方に補液の液面が位置している）状態が一定時間（例えば５秒間）継続していることを制御部５０が認識し、これに基いて制御部５０が出力する警報発生信号により警報装置６０に警報を発生させるとともに、当該制御部５０が出力する停止信号により補液ポンプ３３を停止させることにより、補液ポンプ３３の下流側の流路（少なくとも返血チャンバ１３）に補液が充たされている段階で補液ポンプ３３を直ちに停止させることができる。これにより、そのような閉塞状態が解消された後に、短時間で透析治療を再開することができる。
【００９７】
また、本実施形態の血液浄化用装置１００によれば、透析液ポンプ２３を作動させている状態で透析液タンク２１から透析液クランプ２２に至る透析液流路２０が閉塞されたときに、下側透析液レベルセンサ２９により空気が検知されている（下側透析液レベルセンサ２９の配置位置の下方に透析液の液面が位置している）状態が一定時間（例えば５秒間）継続していることを制御部５０が認識し、これに基いて制御部５０が出力する警報発生信号により警報装置６０に警報を発生させるとともに、当該制御部５０が出力する停止信号により透析液ポンプ２３を直ちに停止させることにより、透析液ポンプ２３の下流側の流路（少なくとも血液浄化器１２の透析液注入ポート）に透析液が充たされている段階で透析液ポンプ２３を停止させることができる。これにより、そのような閉塞によって血液浄化器１２のモジュールホルダに空気が混入するようなことはなく、閉塞状態が解消された後に、短時間で透析治療を再開することができる。
【００９８】
以上、本発明の持続的血液浄化用装置の一実施形態について説明したが、本発明はこれに限定されるものではなく、種々の変更が可能である。
【００９９】
例えば、補液ポンプ（透析液ポンプ）を作動させているときに、下側補液レベルセンサ（下側透析液レベルセンサ）より下方に補液（透析液）の液面が位置している状態が一定時間継続した場合に、警報発生信号のみを出力してもよい。この場合には、警報に気付いたオペレータによって補液ポンプ（透析液ポンプ）が停止される。
【０１００】
また、本実施形態の血液浄化用装置１００を構成する補液流路３０は、血液浄化器１２の血液排出側における血液体外循環回路１０に接続されているが（血液浄化器１２で浄化された後の血液に補液が補給されているが）、血液浄化器１２の血液導入側における血液体外循環回路１０に補液流路３０が接続されていてもよい（血液浄化器１２で浄化される前の血液に補液が補給されていてもよい）。
【０１０１】
また、本発明の持続的血液浄化用装置は、血液浄化器として血液ろ過器を備え、透析液流路および透析液分岐流路、並びにこれらの流路に配置された構成要素を有しない持続的血液ろ過装置であってもよい。
【０１０２】
更に、本発明の持続的血液浄化用装置は、血液浄化器として血液透析器を備え、補液流路および補液分岐流路、並びにこれらの流路に配置された構成要素を有しない持続的血液透析装置であってもよい。
【符号の説明】
【０１０３】
１００  持続的血液浄化用装置
１０  血液体外循環回路
１１  血液ポンプ
１２  血液浄化器
１３  返血チャンバ
１４  気泡センサ
１５  気泡クランプ
１６  シリンジポンプ
２０  透析液流路
２１  透析液タンク
２２  透析液クランプ
２３  透析液ポンプ
２４  加温器
２５  透析液分岐流路
２６  透析液計量用電磁弁（容量式計量手段）
２７  上側透析液レベルセンサ（容量式計量手段）
２８  透析液計量容器（容量式計量手段）
２９  下側透析液レベルセンサ（容量式計量手段）
３０  補液流路
３１  補液タンク
３２  補液クランプ
３３  補液ポンプ
３５  補液分岐流路
３６  補液計量用電磁弁（容量式計量手段）
３７  上側補液レベルセンサ（容量式計量手段）
３８  補液計量容器（容量式計量手段）
３９  下側補液レベルセンサ（容量式計量手段）
４０  廃液流路
４１  排出口
４２  廃液クランプ
４３  廃液ポンプ
４５  廃液分岐流路
４６  廃液計量用電磁弁（容量式計量手段）
４７  上側廃液レベルセンサ（容量式計量手段）
４８  廃液計量容器（容量式計量手段）
４９  下側廃液レベルセンサ（容量式計量手段）
５０  制御部
６０  警報装置
【要約】
【課題】補液ポンプの作動時に、補液タンクから補液クランプに至る流路が閉塞されたときに、少なくとも返血チャンバに補液が充たされている段階で補液ポンプを停止できる持続的血液浄化用装置を提供すること。
【解決手段】血液体外循環回路１０と透析液流路２０と補液流路３０と廃液流路４０と容量式計量手段と制御部とを備え、補液流路３０には補液タンク３１と補液クランプ３２と補液ポンプ３３とが配置され、補液クランプ３２と補液ポンプ３３との間における補液流路３０には、補液計量用電磁弁３６と上側補液レベルセンサ３７と補液計量容器３８と下側補液レベルセンサ３９とが配置されている補液分岐流路３５が接続され、制御部は、補液ポンプ３３の作動時に、下側補液レベルセンサ３９より下方に補液液面が位置している状態が一定時間継続した場合に、警報発生信号およびポンプ停止信号を出力する。
【選択図】    図１【図１】
0005822319.tif 000002
【図２】
0005822319.tif 000003
【図３Ａ】
0005822319.tif 000004
【図３Ｂ】
0005822319.tif 000005
【図４】
0005822319.tif 000006
【図５】
0005822319.tif 000007
【図６Ａ】
0005822319.tif 000008
【図６Ｂ】
0005822319.tif 000009
【図７】
0005822319.tif 000010
【図８】
0005822319.tif 000011
【図９】
0005822319.tif 000012
【図１０】
0005822319.tif 000013